(57)【特許請求の範囲】
【請求項１】
キャビネットの操作部に対応する操作表示マーク部と、
光センサー部に対応する赤外線透過性のフィルタ部と、
音声出力部と対応する小孔群からなる放音部とを一体的に形成したパネルシートであって、前記操作表示マーク部は裏面からの照明光により光るように形成されているパネルシートを備え、
該パネルシートが前記キャビネットの所定の部位に取り付けられ、前記操作表示マーク部を裏面より光らせるバックライトが、前記キャビネット上の前記操作表示マーク部に対応する位置に配置され、
前記操作表示マーク部による操作が所定時間おこなわれなかった場合は前記バックライトは消灯するようになされていること
を特徴とするテレビジョン受像機。
【請求項２】
赤外線を出力する赤外線発光部と、赤外線を受光する赤外線受光部とを前記赤外線透過性のフィルタ部の背面に有し、
操作者によって反射された前記赤外線発光部からの赤外線が、前記赤外線受光部で受光されると、前記バックライトが点灯するようになされていることを特徴とする請求項１に記載のテレビジョン受像機。
【発明の詳細な説明】
【０００１】
【発明の属する技術分野】
本発明はパネルシート及びテレビジョン受像機に関わり、特にテレビジョン受像機のキャビネットに取り付けて好適なパネルシートに関するものである。
【０００２】
【従来の技術】
従来からテレビジョン受像機には、映像を出力する映像出力部の他に、例えば電源のオン／オフスイッチ、音量調節スイッチ、及びチャンネル選局スイッチ等の操作部や、リモートコントローラ（以下、「リモコン」という）から送出されたコマンドを受信するリモコン受光部、音声出力部等が設けられている。
このようなテレビジョン受像機の操作部、リモコン受光部及び音声出力部等は、例えばテレビジョン受像機のキャビネット部分に配置されている。
【０００３】
【発明が解決しようとする課題】
ところで、上記したようにテレビジョン受像機のキャビネットに配置されている操作部、リモコン受光部及び音声出力部等は、テレビジョン受像機の外観を損なうことなく一体感のあるデザインとなるようにすることが好ましい。
【０００４】
【課題を解決するための手段】
本発明はこのような問題点を解決するためになされたもので、キャビネットの操作部に対応する操作表示マーク部と、光センサー部に対応する赤外線透過性のフィルタ部と、音声出力部と対応する小孔群からなる放音部とを一体的に形成したパネルシートであって、前記操作表示マーク部は裏面からの照明光により光るように形成されているパネルシートを備え、該パネルシートが前記キャビネットの所定の部位に取り付けられ、前記操作表示マーク部を裏面より光らせるバックライトが、前記キャビネット上の前記操作表示マーク部に対応する位置に配置され、前記操作表示マーク部による操作が所定時間おこなわれなかった場合は前記バックライトは消灯するようになされている。
【０００５】
さらに、赤外線を出力する赤外線発光部と、赤外線を受光する赤外線受光部とを前記赤外線透過性のフィルタ部の背面に有し、操作者によって反射された前記赤外線発光部からの赤外線が、前記赤外線受光部で受光されると、前記バックライトが点灯するようになされている。
【０００６】
【発明の実施の形態】
以下、本発明の実施の形態について説明する。
図１は本発明の実施の形態とされるテレビジョン受像機の正面図を示したものである。
この図において、テレビジョン受像機１は、映像出力部２がフロントキャビネット３（以下、単に「キャビネット」という）と一体に構成されていると共に、このキャビネット３の例えば向かって右側面にはパネルシート４、左側面にはパネルシート５が取り付けられている。また、このパネルシート４が取り付けられているキャビネット３部分には図示していないが操作スイッチ、発光及び受光装置、及び音声出力装置が設けられ、パネルシート５が取り付けられているキャビネット３部分には図示していないが音声出力装置が設けられている。
【０００７】
このようなテレビジョン受像機１の右側面に取り付けられているパネルシート４の概要を図２に示す。
この図に示すパネルシート４は、例えば塩化ビニールで形成されていると共に、全体がテレビジョン受像機１のキャビネット３とほぼ同色（例えば黒色）とされ、また操作表示部６、フィルタ部７、及び放音部８がそれぞれ設けられている。
【０００８】
このようなパネルシート４の操作表示部６には例えばテレビジョン受像機１の電源オン／オフスイッチの表示部１１、電源のスタンバイ状態を表示するスタンバイ表示部１２、チャンネルを選局するためのチャンネル切換スイッチの表示部１３、音量の大小を調節する音量調節スイッチの表示部１４、テレビ／ビデオ切換スイッチの表示部１５、セットアップスイッチの表示部１６を示すマークが設けられている。
【０００９】
なお、このパネルシート４が取り付けられているキャビネット３には操作表示部６と対応するように電源のオン／オフスイッチ、チャンネル切換スイッチ、音量調節スイッチ、テレビ／ビデオ切換スイッチ、セットアップスイッチが設けられている。
【００１０】
フィルタ部７には、例えばリモコンから送出されるコマンドを受信するリモコン受光部のフィルタ１７、後述するが赤外線等を出力する赤外線発光部のフィルタ１８、この赤外線発光部から出力された赤外線の反射光を受光する赤外線受光部のフィルタ１９となる透孔が設けられ、これらフィルタ部７の各透孔は、例えば赤外線を透過させるように紫色とされている。
このようにパネルシート４にフィルタ部７を設けることで、このパネルシート４の裏側に導光管等を設けることなく赤外線の発光装置、及び受光装置を配置することができるようになる。
【００１１】
また放音部８には、後述するが多数の小孔が形成されていると共に、後述する一点鎖線で示すような開口部２０が形成されている。なお、この開口部２０は例えばキャビネット３に設けられている図示されていない音声出力装置と対応する位置に形成されている。
【００１２】
以下、このようなパネルシート４の構造を具体的に説明する。
図３は図２に示すパネルシート４のＡの円内に示す操作表示部６を拡大して示した図である。
この図に示すようにパネルシート４の操作表示部６に設けられているオン／オフスイッチ部の表示部１１は、『ＰＯＷＥＲ』の文字が記載されている文字部１１ａと、この文字部１１ａを囲うような枠部１１ｂで構成されており、この文字部１１ａは例えば緑色で表示され、枠部１１ｂは例えば灰色で表示されている。
【００１３】
また、『ＳＴＡＮＤ  ＢＹ』と文字が記載されているスタンバイ表示部１２は、例えば半透明の白色で表示されている。
また、チャンネルスイッチ部の表示１３は『ＣＨＡＮＮＥＬ』の文字が記載されている文字部１３ｂと、『＋』、『−』の表示及び枠部で構成されているチャンネル操作の表示部１３ａ，１３ｃで構成されており、これらも同様に半透明の白色で表示されている。
なお、図３には示されていない音量調整スイッチの表示部１４、テレビ／ビデオ切換スイッチの表示部１５、セットアップスイッチの表示部１６も同様に半透明の白色で表示されている。
【００１４】
従って、このようなパネルシート４が取り付けられるキャビネット３の操作表示部６と対応する位置に、例えばＬＥＤ等によるバックライトを配置して点燈させれば、半透明の白色とされている例えばスタンバイ表示部１２、チャンネルスイッチの表示部１３等の文字及び枠部が明るく光って表示されることになる。
【００１５】
また、例えばユーザーがモニタに表示されている映像を鑑賞する際、操作表示部６の表示が煩わしく見えることがあるため、例えば所定時間この操作表示部６によって操作が行われなかった場合は、バックライトを消灯させて操作表示部６の表示がユーザーに見えないようにしている。
なお、電源のオン／オフスイッチ部１１は常に表示するようにしている。
【００１６】
しかしながら、例えばユーザが機器本体に設けられている操作表示部６によってチャンネルを切換えようとした際、操作表示部６のバックライトが消灯して操作表示部６の表示が見えないと機器本体によって操作することができないという問題が発生する。
【００１７】
そこで、パネルシート４のフィルタ部７にリモコン受光部のフィルタ１７の他に、赤外線発光部のフィルタ１８及び赤外線受光部のフィルタ１９の透孔を設けると共に、このフィルタ１８と対応する位置に赤外線発光装置、フィルタ１９と対応する位置に赤外線受光部を設けるようにしている。
【００１８】
すなわち、このように赤外線発光部及び赤外線受光部を設けることで、例えばユーザーが操作表示マーク部６を操作するため機器本体に近付いた場合は、赤外線発光部からフィルタ１８を介して出力される赤外線がユーザーによって反射され、フィルタ１９を介して赤外線受光部でこの赤外線信号を受光するようにし、ユーザーが機器本体に近付いた時には、バックライトを点燈させて表示操作部６を表示するようにしている。
【００１９】
次に、図４は図２に示すパネルシート４のＢで示した放音部８の拡大図である。この図に示すようにパネルシート４の放音部８とされる部分には、例えば０．３φの小孔２１が縦０．５ｍｍピッチ、横０．３ｍｍピッチで多数、配設されている。また、この放音部８には図２に示したように音声出力装置と対応する位置に開口部２０が設けられており、この開口部２０とされる部分だけが小孔２１によって貫通されている。
【００２０】
つまり、パネルシート４の放音部８とされる部分の全体に小孔２１が設けられているものの、この小孔２１によってパネルシート４の表裏が貫通されているのは開口部２０とされる音声出力装置と対応する部分だけとされている。
【００２１】
このように１枚のパネルシート４に操作表示部６、フィルタ部７及び放音部８を設けると共に、このようなパネルシート４をテレビジョン受像機のキャビネット３に取り付けるようにすることで、一体感のあるデザインのテレビジョン受像機を実現することができる。
【００２２】
また、パネルシート４の操作表示部６及びフィルタ部７に相当する部分には小孔２１を設けることなく、放音部８に相当する部分に小孔２１を設けるようすることで、操作表示部６及びフィルタ部７の強度を保つことができると共に、埃、静電気及び水分等がパネルシート４内に入り込むことを防止することができる。
【００２３】
ここで、このようなパネルシート４の製造方法について図５を用いて簡単に説明する。
図５（ａ）はパネルシート４の製造方法を模式的に示したものである。
この図に示すようにパネルシート４は透明の塩化ビニール層３１上に、例えば所定のマスキング処理等を施して黒色の塩化ビニール層３２を形成するようにしている。さらにこの黒色の塩化ビニール層３２上に、所定のマスキング処理を施して紫の塩化ビニール層３３を形成し、この作業を順次繰り返して半透明の塩化ビニール層３４、緑色の塩化ビニール層３５、灰色の塩化ビニール層３６を形成するようにしている。
【００２４】
すなわち、例えば電源のオン／オフスイッチ部１１の文字に相当する部分は、マスキング処理等によって同図（ｂ）に示すように黒色の塩化ビニール層３１を形成しないようにし、この黒色の塩化ビニール層３２が形成されていない部分に例えば緑色の塩化ビニール層３５を形成するようにしている。
また、半透明とされている例えばスタンバイ表示部１２を形成する場合も同様に、黒色の塩化ビニール層３１をマスキング等によって形成しないようにし、この部分に半透明の塩化ビニール層３６を形成するようにしている。
【００２５】
一方このパネルシート４の放音部８に相当する部分は、図から解るように例えば透明の塩化ビニール層３１と黒色のビニール層３２によって形成され、この段階で上述したような多数の小孔２１が形成されることになる。
【００２６】
そして、さらにこの塩化ビニール層上には、同図（ｃ）に示すように例えば黒色の粘着層３７、及び剥離層３８が取り付られることになる。この時粘着層３７には、例えば音声出力装置と対応する部分に開口部２０を設けるようにすれば、この開口部２０とされる部分のパネルシート４は、表裏が小孔２１によって貫通されることになり、開口部２０とされていない部分の小孔２１は、粘着層３７によって塞がれることになる。
【００２７】
なお、本実施の形態ではパネルシート４の放音部８全体に小孔２１を設けるようにしているが、これに限定されることなく例えば音声出力装置と対応している開口部２０だけに小孔２１を設けるようにしても良い。
【００２８】
【発明の効果】
以上説明したように本発明のテレビジョン受像機によれば、パネルシートに表示操作マーク部、フィルタ部及び放音部を設け、このパネルシートを例えばキャビネットの前面に取り付けるようにすることで、一体感のあるデザインのテレビジョン受像機を実現することができる。
また、パネルシートの操作表示マーク部、及びフィルタ部に相当する部分には小孔が設けられていないため、パネルシートの内側に設けられている電気部品等を例えば埃、静電気、水分等から保護することができるという効果もある。
さらにパネルシートのすぐ内側に赤外線の光センサー装置を配置することができるため、これにより従来必要であった導光管を削減することができるという効果もある。
【図面の簡単な説明】
【図１】本発明の実施の形態であるテレビジョン受像機の正面図を示したものである。
【図２】本実施の形態のパネルシートの概要を示した図である。
【図３】図２に示したパネルシートのＡの円内に示す操作表示部を拡大して示した図である。
【図４】図２に示したパネルシートのＢの円内に示す放音部を拡大して示した図である。
【図５】パネルシートを構造を模式的に示した図である。
【符号の説明】
１  テレビジョン受像機
２  映像出力部
３  フロントキャビネット
４、５  パネルシート
６  操作表示部
７  フィルタ部
８  放音部
１１〜１６  表示部
１７〜１９  フィルタ部
２０  開口部
２１  小孔
【図１】
0003830563.tif 000002
【図２】
0003830563.tif 000003
【図３】
0003830563.tif 000004
【図４】
0003830563.tif 000005
【図５】
0003830563.tif 000006